(57)【特許請求の範囲】
【請求項１】
送信すべきでないビットを、圧縮モードにて送信すべきフレームに対応付ける方法であって、
圧縮モードにて送信すべきフレーム内に含まれる情報を時間的に圧縮して送信して、当該圧縮されたフレーム内に、情報が割り当てられていない伝送ギャップが存在するようにし、
圧縮モード時に、相応に圧縮されたフレームにて利用可能な所定の個数のフォーマット識別個所にフォーマット識別ビットを対応付け、ここで当該個数は、前記のフォーマット識別ビットの個数よりも大きく、
利用可能なフォーマット識別個所にフォーマット識別ビットを対応付ける際に、少なくとも１つのフォーマット識別個所に、送信すべきでないビット（ＤＴＸビット）を割り当てて、すべてのフォーマット識別個所に１ビットを割り当てる形式の、送信すべきでないビットを、圧縮モードにて送信すべきフレームに対応付ける方法において、
前記の送信すべきでないビットの少なくとも一部を、前記伝送ギャップの直後のフォーマット識別個所に割り当てることを特徴とする、
送信すべきでないビットを、圧縮モードにて送信すべきフレームに対応付ける方法。
【請求項２】
前記のフォーマット識別ビットの個数が、利用可能なフォーマット識別個所の個数よりも小さい分だけ、前記伝送ギャップの直後のフォーマット識別個所に、送信すべきでないビットを割り当てる、
請求項１に記載の方法。
【請求項３】
前記の送信すべきでないビットの第１の部分を、伝送ギャップの直後のフォーマット識別個所に割り当て、
これに対して前記の送信すべきでないビットの第２の部分を、伝送ギャップに先行するおよび／または後続するフォーマット識別個所に割り当てる、
請求項１に記載の方法。
【請求項４】
前記のフォーマット識別ビットをその位取りに応じて、圧縮されたフレームの相応するフォーマット識別個所に対応付け、
最上位のフォーマット識別ビットを、時間的に最初に送信すべき、圧縮されたフレームのフォーマット識別個所に対応付ける、
請求項１から３までのいずれか１項に記載の方法。
【請求項５】
前記の方法を、圧縮されたフレームの送信の前に、例えばＵＭＴＳ移動無線システムである無線システムにおける下りリンクコネクションを介して実行する、
請求項１から４までにいずれか１項に記載の方法。
【請求項６】
送信すべきでないビットを、圧縮モードにて送信すべきフレームに対応づけるための符号化装置であって、
圧縮モードにて送信すべきフレーム内に含まれる情報を時間的に圧縮して送信して、当該圧縮されたフレーム内に、情報が割り当てられていない伝送ギャップを設ける第１の手段と、
圧縮モード時に、相応に圧縮されたフレームにて利用可能な所定の個数のフォーマット識別個所にフォーマット識別ビットを対応付ける第２の手段とが設けられており、ここで当該個数は、前記のフォーマット識別ビットの個数よりも大きく、また
利用可能なフォーマット識別個所にフォーマット識別ビットを対応付ける際に、少なくとも１つのフォーマット識別個所に、送信すべきでないビット（ＤＴＸビット）が割り当てられて、すべてのフォーマット識別個所に１ビットが割り当てられる形式の符号化装置において、
前記の第２の手段により、送信すべきでないビットの少なくとも一部が、前記伝送ギャップの直後のフォーマット識別個所に割り当てられることを特徴とする、
送信すべきでないビットを、圧縮モードにて送信すべきフレームに対応付けるための符号化装置。
【請求項７】
送信装置において、
請求項６に記載の符号化装置を有することを特徴とする、
送信装置。
【請求項８】
受信装置において、
請求項６に記載の符号化装置を有することを特徴とする、
受信装置。
【発明の詳細な説明】
【０００１】
本発明は、送信すべきでないビット、すなわちいわゆるＤＴＸビットを、送信すべきフレーム、すなわちいわゆる「圧縮モード」において伝送すべき圧縮されたフレームに対応付ける、請求項１の上位概念に記載された方法に関する。
【０００２】
移動無線技術は極めて急速に発展している。現在では第３移動無線世代の移動無線装置に対するいわゆるＵＭＴＳ（Universal Mobile Telecommunication System）移動無線規格の標準化作業が行われている。
【０００３】
移動無線チャネルを介して伝送すべき情報は、通例、あらかじめ定められたフレーム構造およびタイムスロット構造の形態で伝送される。ＵＴＭＳフレーム（Frame）には１５個のタイムスロット（Slot）が含まれ、各フレーム内では実際のデータの他に所定のシステム情報も伝送される。これらのシステム情報には、例えば既知のパイロットビット列またはトレーニング列と、１つまたは複数のＴＰＣ（Transmit Power Control）ビットの形態の出力制御情報と、いわゆるＴＦＣＩ（Transport Format Combination Indicator）ビットの形態のフォーマット識別ビットとが含まれ、ここで上記のパイロットビット列またはトレーニング列は、各受信機が、各移動無線チャネルのチャネルパルス応答を推定するのに使用することでき、また上記のＴＰＣビットの内容によって各受信機の送信出力が制御される。
【０００４】
ＵＭＴＳ標準化の現在の状況では、ＵＭＴＳフレーム毎に１個のＴＦＣＩ符号語が設けられており、これは、最初は符号化されていない１０個のビットからなり、これらは引き続いて２次のリード−マラー符号の（３２，１０）サブコードによって符号化され、ひいては全体で３２個のビットに対応付けられる。通常モードでは（通常の動作ないしは非圧縮モードでは）引き続きこれらの３２ビットのうちの第０および第１６ビットがパンクチャされ、これによってＴＦＣＩ符号語には３０個のＴＦＣＩビットだけが含まれるようにする。これらのＴＦＣＩビットはつぎに、２つずつのＴＦＣＩビットによって、相応するＵＭＴＳフレームの個々のタイムスロットに均等に対応付けないしは分配される。この際にこの割り当てはつぎのように行われる。すなわちＴＦＣＩ符号語の最上位の２つのＴＦＣＩビットが、このＵＭＴＳフレーム内で最初に送信される第０タイムスロットに、また最下位の２つのビットが、このフレーム内で最後に送信される第１４タイムスロットに分けられるように行われるのである。この場合に個々のタイムスロット内では上位のＴＦＣＩビットが下位のＴＦＣＩビットよりも先に送信される。ＴＦＣＩ符号語のＴＦＣＩビットをフレームの個々のタイムスロットにこのように対応付けることまたは割り当てることは「マッピング」（Mapping）とも称される。
【０００５】
本発明の枠内で「パンクチャ」とは、例えば最後の数ビットも含めて、所定のビットを除去ないしは送信しないことである。
【０００６】
情報の通常の伝送、すなわち非圧縮の形態での伝送の他に、データ伝送に対して圧縮モード（Compressed Mode）も設けられている。この「圧縮モード」では、各フレームの情報は圧縮された形態で伝送され、これによって意図的に伝送ギャップ（Transmission Gap）が形成され、この伝送ギャップの持続時間中には、送信される情報がないことを利用して、例えば、ハンドオーバ過程の準備のための中間周波数測定.などを行うことができる。
【０００７】
「圧縮モード」ではフレーム毎に少なくとも８個のタイムスロットが残ってなければならない。したがって３０個のＴＦＣＩビットは、「圧縮モード」においてこれらの残っているタイムスロットに分配されなければならない。これを可能にするため上りリンクコントロールチャネルＤＰＣＣＨ（Dedicated Physical Control Channel）、下りリンクコントロールチャネルＤＰＣＣＨならびに下りリンクデータチャネルＤＰＤＣＨ（Dedicated Physical Data Channel）のタイムスロットフォーマットを適合化しなければならない。
【０００８】
これに関しては上りリンクＤＰＣＣＨコントロールチャネルに対して種々異なるタイムスロットフォーマットがこの「圧縮モード」用に提案されており、これらは図４に示した表によってまとめることができる。ここでは「圧縮モード」において１フレーム当たりに伝送されるタイムスロットまたはスロットの種々異なる個数毎に、１タイムスロット当たりに伝送されるＴＦＣＩビットの個数ＮＴＦＣＩと、１フレーム当たりに伝送されるＴＦＣＩビットの総数Ｄとが示されている。
【０００９】
下りリンクに対しても相応する提案が「圧縮モード」におけるタイムスロットフォーマットに対してなされており、これらは図５Ａおよび図５Ｂに示した表によってまとめることができる。ここで図５Ａは、相応するチャネル化コードまたは拡散コード（Channelization Code）に使用される、１２８〜５１２の拡散ファクタに関連し、これに対して図５Ｂは４〜６４の拡散コードに関連する。各表では図４と同様に、「圧縮モード」において１フレーム当たりに伝送されるタイムスロットまたはスロットの種々異なる個数毎に、１タイムスロット当たりに伝送されるＴＦＣＩビットの個数ＮＴＦＣＩと、１フレーム当たりに伝送されるＴＦＣＩビットの総数Ｄとが示されている。この場合にさらにタイプＡ伝送とタイプＢ伝送とが区別される。
【００１０】
フレーム毎に一貫したタイムスロットフォーマットを得ようとするため、（図４および図５Ａ／ＢにおいてＤの個々の値によって示したように）３０個のＴＦＣＩビットに対して実際に必要なＴＦＣＩ個所よりも多くのＴＦＣＩ個所がフレーム毎に提供される場合が生じることがある。
【００１１】
したがって上りリンクに対して、すなわち移動部から基地局への伝送に対して提案されているのは、選択したＴＦＣＩビットを「圧縮モード」において反復すなわち繰り返して余ったＴＦＣＩ個所を充填することである。ここではこのために例えば、「圧縮モード」において発生する伝送ギャップの直後に送信されるビットを空きのＴＦＣＩ個所において繰り返して、この反復ができる限り効果的に構成されるようにする。このようにする理由は、つぎのような事実に基づく。すなわち送信電力制御は、伝送ギャップの直後に極めて不安定であるため、この伝送ギャップの直後では障害を有する伝送の確率が最大であり、したがってこれらのビットはできる限り繰り返すべきであるという事実に基づくのである。ここで反復されるビットは、つぎのアルゴリズムによって決定され、ここでｃｋはＴＦＣＩビット、ｄｋは反復されるビット、Ｄはこのフレームにおいて全体として利用可能なＴＦＣＩ個所、またＥは「圧縮モード」における伝送ギャップの直後のＴＦＣＩ個所のインデックスないしは位置を表す：
0003787524.tif 000002
これらのビットは、圧縮されたフレームの個々のタイムスロットに降順に分配され、ここでは最初にＴＦＣＩビットｃｋが、つぎに反復されるビットｄｋが伝送される。すなわちビットＣ２９（ＴＦＣＩ符号語の最上位ビット（ＭＳＢ＝Most Significant Bit））がＴＦＣＩ符号語の最初のビットとして伝送され、これに対してｄ０がＴＦＣＩ符号語の最後のビットとして伝送される。
【００１２】
他方、下りリンクに対して、すなわち基地局から移動部への伝送に対して提案されるのは、「圧縮モード」において空きまたは余ったＴＦＣＩ個所を、いわゆるＤＴＸビット（Discontinuous Transmission Bit）で充填することである。ここでＤＴＸビットとは、送信されないビット、すなわちエネルギーがゼロのビットに相応する。したがって該当するタイムスロットの相応する個所に、ＤＴＸビットの時間長を有する１つずつの送信休止が入れられる。
【００１３】
上記の従来技術を出発点として本発明はつぎのことを課題とする。すなわち、送信すべきでないビットを、圧縮モードにおいて送信すべきフレームに対応付ける方法を提供して、付加的なコストなしに伝送効率および伝送信頼性を改善できるようにすることを課題とする。本発明の別の課題は、送信すべきでないビットを、圧縮モードにて送信すべきフレームに対応づけるための符号化装置を提供することである。本発明のさらに別の課題は、このような符号化装置を有する送信装置および受信装置を提供することである。
【００１４】
上記の方法についての課題は、本発明により、請求項１の特徴部分に記載された構成を有する方法によって解決される。上記の符号化装置についての課題は、請求項６に記載された特徴的構成を有する符号化装置によって解決される。また請求項６の符号化装置を有する送信装置および受信装置はそれぞれ請求項７および８に記載されている。従属請求項には本発明の有利な実施形態が記載されている。
【００１５】
本発明において少なくとも下りリンクに対して提案されるのは、「圧縮モード」において余ったＴＦＣＩ個所をＤＴＸビットによって、すなわちエネルギーがゼロの送信すべきでないビットによって充填することであり、ここでは伝送ギャップの直後のＴＦＣＩ個所の少なくとも一部にはＤＴＸビットが割り当てられる。これに関しては例えば、ＤＴＸビットの一部を伝送ギャップの前のタイムスロットに分配し、別の一部をこの伝送ギャップの後のタイムスロットに分配することも考えられる。
本発明の方法の有利な１実施形態では、上記のフォーマット識別ビットの個数が、利用可能なフォーマット識別個所の個数よりも小さい分だけ、上記伝送ギャップの直後のフォーマット識別個所に、送信すべきでないビットを割り当てる。
【００１６】
本発明の根底にある認識は、「圧縮モード」において電力制御（Power Control）が伝送ギャップによって損なわれてしまい、伝送ギャップとの距離が増加してはじめてこれが安定化することである。この事実に基づいて、ＤＴＸビットによる付加的なＴＦＣＩ個所の充填が最適化される。
【００１７】
本発明を以下、有利な実施形態に基づき、添付の図面を参照して詳しく説明する。
【００１８】
図１には、ＴＦＣＩビットを符号化し、パンクチャし、さらにいわゆる「圧縮モード」において送信すべきＵＭＴＳフレームに対応付ける装置の簡略化されたブロック図が示されており、ここでこの装置は本発明の送信装置に使用可能であり、
図２には、ＴＦＣＩビットのＵＭＴＳフレームへの対応付けを説明する図が示されており、
図３には、「圧縮モード」に関連する本発明の種々異なる実施例を説明する図が示されており、
図４には、「圧縮モード」において上りリンクコネクションを介して伝送されるＵＭＴＳフレームに対して、種々異なる公知のタイムスロットフォーマットがリストアップされた表が示されており、
図５Ａおよび５Ｂには、「圧縮モード」において下りリンクコネクションを介して伝送されるＵＭＴＳフレームに対して、種々異なる公知のタイムスロットフォーマットがリストアップされた表が示されている。
【００１９】
本発明の種々異なる実施例を詳しく説明する前に、まずＴＦＣＩビットをＵＭＴＳフレームに対応付ける装置の基本的な構造を図１に基づいて説明する。
【００２０】
（３２，１０）符号化器１には、符号化されていないＴＦＣＩビットが供給され、ここでこのＴＦＣＩビットが各ＵＭＴＳフレームに対応付けられなければならないのである。符号化されていないＴＦＣＩビットの個数は基本的に可変であり、コネクションの開始時に相応するシグナリングによって決定される。しかしながら１０個よりも少ない符号化されていないＴＦＣＩビットの場合、相応するＴＦＣＩ語はゼロにより、全部で１０ビットになるまで充填され、この場合に最上位のビットがゼロに設定される。
【００２１】
このことによって保証されるのは、（３２，１０）符号化器１につねに１０個のＴＦＣＩビットを有するＴＦＣＩ語が供給されることである。
【００２２】
（３２，１０）符号化器１により、いわゆる２次のリード−マラー符号の（３２，１０）サブコードが適用されて、この符号化器に供給されるＴＦＣＩ語が符号化される。ここで相応する（３２，１０）符号化器１の構造は、この（３２，１０）符号化器１から出力されるＴＦＣＩ符号語が、１０個の種々異なる基本列の線形結合によって形成されるようになっており、ここでこの線形結合は、符号化されていないＴＦＣＩビットによって制御される。
【００２３】
いまや３２個のビットを含む、（３２，１０）符号化器１から出力されるＴＦＣＩ符号語は、引き続いてパンクチャユニット２に供給され、ここで第０ビットと第１６ビットとがパンクチャされ、すなわちＴＦＣＩ符号語から除去される。したがってここから得られるパンクチャされたＴＦＣＩ符号語は３０個のＴＦＣＩビットだけしか含まない。
【００２４】
この３０個のＴＦＣＩビットはユニット３に供給される。このユニットの役割は、これらのビットを「通常モード」において（すなわち圧縮されない伝送の際）または「圧縮モード」において（すなわち圧縮される伝送の際）、各ＵＭＴＳフレームの個々のタイムスロットまたはスロットに割り当てることである（図２参照）。
【００２５】
すでに説明したように３０個のＴＦＣＩビットは「通常モード」において均等に各ＵＭＴＳフレームの１５個のタイムスロットに分配され、最上位の２つのＴＦＣＩビット第２９ビットおよび第２８ビットは、時間的に最初に送信される第０タイムスロットに対応付けられ、これに対して最下位の２つのビット第１ビットおよび第０ビットは、フレーム内で最後に送信される第１４タイムスロットに対応付けられる。
【００２６】
当然のことながら、送信すべきＴＦＣＩビットの全く同じ構成を別の手法で達成することも可能である。例えば、ビットの番号付けは、純粋に慣例によるものであり、ＭＳＢおよびＬＳＢが別の順番で定義されることもある。さらにパンクチャは第０ビットおよび第１６ビットでなくてもよく、別のビットをパンクチャすることも可能である。別の表し方では、リード−マラー符号に使用されるマスクの要素も並べ替えて、パンクチャされるビットを任意の個所、例えばＴＦＣＩ符号語の終端部に設定できるようにすることも可能である。これらの択一的かつ同等の表現形式は、以下ではこれについて明に述べない場合にあっても、すべて同様に本発明の枠内にあるものである。
【００２７】
しかしながら「圧縮モード」では図３に示したように、相応するフレームにおいて情報の送信されない伝送ギャップが発生する。図３に示した例ではこの伝送ギャップに第６〜８タイムスロットが含まれる。このことから、すでに説明したようにタイムスロットフォーマットを相応に適合化する必要が生じ、この適合化によって、適合化されたフォーマットのうちの所定のフォーマットにおいてはＴＦＣＩビットよりも多くのＴＦＣＩ個所が得られることになる（図４および図５Ａ／５Ｂも参照されたい）。
【００２８】
以下では上りリンクに対しても、下りリンクに対しても共にこの余りのＴＦＣＩ個所を充填する種々の例を示す。ここで以下で上りリンクに対して示す実施例は下りリンクに対しても適用可能である。さらに個々の実施例を互いに組み合わせることも可能である。
【００２９】
以下ではまず本発明のいくつかの実施例を上りリンクについて説明する。
【００３０】
第１実施例では「圧縮モード」においてＴＦＣＩビットよりも多くのＴＦＣＩ個所が利用できる場合に余りのＴＦＣＩビットを直ちに反復によって埋めるのではなく、まだ埋められていないＴＦＣＩ個所をまず、最初のＴＦＣＩ符号語の第０ビットおよび第１６ビットによって埋めるのであり、ここでこれらのビットは、パンクチャユニット２によって元々パンクチャされるビットである。これらの２つのビットは有利には相応するＵＭＴＳフレームの終端部に設定される。これらのビットがＵＭＴＳフレームに対応付けられた後はじめて、まだ残っている空きのＴＦＣＩ個所が反復によって充填され、ここでこれは冒頭に説明した従来技術と類似して行われ、これによってこのＴＦＣＩ符号語の３０ビットが時間的に最初に送信されるＴＦＣＩ個所に対応付けられ、これに対して反復されるビットがこのフレームの後のＴＦＣＩ個所に割り当てられるようにする。
【００３１】
この手法により、付加的なＴＦＣＩビットｄｋを決定する前述のアルゴリズムがつぎのように変更され、ここでＥは、伝送ギャップの直後のＴＦＣＩ個所のインデックスを、ｋ＝０〜２９なるｃｋは、パンクチャされたＴＦＣＩ符号語の３０個のＴＦＣＩビットを、またｃ３０およびｃ３１は、符号化器１から出力されるＴＦＣＩ符号語のはじめにパンクチャされた２つの第０ビットおよび第１６ビットを、またＤは、フレーム全体におけるＴＦＣＩ個所の個数を表す：
0003787524.tif 000003
図３に示した実施例では、ＴＦＣＩビットはつぎのように各フレームに対応付けられる。この伝送ギャップには３つのタイムスロットが含まれるため、１２個のタイムスロットだけが送信されて、図４に示した表によれば１タイムスロット当たりに３個のＴＦＣＩビットが、またフレーム全体では全部で３６個のＴＦＣＩビットが送信されるはずである。
【００３２】
上記のアルゴリズムによればまずＴＦＣＩビットｃ２９〜ｃ１２が最初の第０〜第５タイムスロットに、ＴＦＣＩビットｃ１１〜ｃ０がつぎの第９〜第１２タイムスロットに分配される。したがってパンクチャされたＴＦＣＩ符号語の全ＴＦＣＩビットが分配された後、ＴＦＣＩビットｃ１１，ｃ１０，ｃ０９が第１３タイムスロットにおいて反復され、最初にパンクチャされたＴＦＣＩビットｃ３０およびｃ31が最後の第１４タイムスロットに対応付けられ、またＴＦＣＩビットｃ０８が第１４タイムスロットにおいて反復される。
【００３３】
この手法は有利である。それは、前にパンクチャした、ＴＦＣＩ（３２，１０）符号語のビットを送信することは、「圧縮モード」に存在する伝送ギャップのために電力制御（Power Control）について不利な条件の下で送信されたビットを反復することよりも好ましいからである。
【００３４】
上記の実施例を変更して、元々パンクチャされるビットを、ＵＭＴＳフレームの最後のタイムスロットに配置するのではなく、伝送ギャップの直後に伝送することも可能である。これに加えて従来技術と同様に伝送ギャップの直後のＴＦＣＩビットを反復する。この手法は、通例はいずれにせよパンクチャされるビットが、伝送条件の点からは「不利な」ＴＦＣＩ個所で送信されるという利点を有する。
【００３５】
この実施例によれば、図３に示した例から出発してまずＴＦＣＩビットｃ２９〜ｃ１２が最初の第０〜第５タイムスロットに分配されることになる。第９タイムスロットのＴＦＣＩ個所は、元々パンクチャされるビットｃ３０およびｃ３１ならびにＴＦＣＩビットｃ１１によって埋められる。ＴＦＣＩビットｃ１０〜ｃ２は第１０〜１２タイムスロットに割り当てられる。第１３タイムスロットは、ＴＦＣＩビットｃ０１およびｃ０によって埋められる。この場合にまだ利用可能な、第１３および第１４タイムスロットのＴＦＣＩ個所は、すでに説明したように、伝送ギャップの直後のＴＦＣＩビットによって埋められるため、第１３タイムスロットにおいてビットｃ３０が、また第１４タイムスロットにおいてビットｃ３１，ｃ１１，ｃ１０が反復される。
【００３６】
予想され得るのは、伝送ギャップの後に送信されるＴＦＣＩビットは、伝送ギャップから離れるのに伴ってビット誤り率が小さくなることである。それは電力制御は、伝送ギャップとの距離が増加するのに伴って再度安定化するからである。「圧縮モード」において利用可能なＴＦＣＩ個所を埋めるための別の有利な実施例では、伝送ギャップの直後に送信され最大の誤りの確率を有するＴＦＣＩビットが、伝送ギャップに対して最大の距離を有するタイムスロットにおいて反復される。したがって有利であるのは、伝送ギャップの直後のＴＦＣＩビットを（これまでのように同じ順番でなく）逆順で反復することである。
【００３７】
これによって冒頭に説明した、反復されるビットｄｋを決定するアルゴリズムはつぎのように変更される：
0003787524.tif 000004
このことが意味するのは、図３に示した実施例に対して、まずＴＦＣＩビットｃ２９〜ｃ１２を最初の第０〜第５タイムスロットに、またＴＦＣＩビットｃ１１〜ｃ０をつぎの第９〜第１２タイムスロットに分配することである。パンクチャされるＴＦＣＩ符号語のすべてのＴＦＣＩビットを分配した後、伝送ギャップの直後のＴＦＣＩビットが逆順で反復されてまだ空きのＴＦＣＩ個所が埋められる。すなわちＴＦＣＩビットｃ０６，ｃ０７，c０８が第１３タイムスロットにおいて、またはＴＦＣＩビットｃ０９，ｃ１０，ｃ１１が第１４タイムスロットにおいて反復される。
【００３８】
殊に有利であるのは、この実施例と第１実施例とを組み合わせることであり、すなわち元々パンクチャされる２つのＴＦＣＩビットｃ３０およびｃ３１が最後のタイムスロットにおいて送信される一方で、伝送ギャップの直後のＴＦＣＩビットが空きのＴＦＣＩ個所を埋めるために逆順で反復される。したがってＴＦＣＩ個所ｄｋの割り当てを決定するためにつぎのアルゴリズムが得られる：
0003787524.tif 000005
図３に示した例に対してこのことは、まずＴＦＣＩビットｃ２９〜ｃ１２を最初の第０〜第５タイムスロットに、またＴＦＣＩビットｃ１１〜ｃ０をつぎの第９〜第１２タイムスロットに分配することを意味する。パンクチャされるＴＦＣＩ符号語のすべてのＴＦＣＩビットを分配した後、伝送ギャップの直後のＴＦＣＩビットが逆順で反復され、元々パンクチャされるビットｃ３０およびｃ３１が最後のタイムスロットで送信されてまだ空きのＴＦＣＩ個所が埋められる。すなわちＴＦＣＩビットｃ０８，ｃ０９，ｃ１０が第１３タイムスロットにおいて反復され、これに対して、元々パンクチャされるＴＦＣＩビットｃ３０およびｃ３１ならびに反復されるＴＦＣＩビットｃ１１が第１４タイムスロットに割り当てられるのであるのである。
【００３９】
すでに説明したように、「圧縮モード」において通例、２重にパンクチャされるＴＦＣＩ（３２，１０）符号語のＴＦＣＩビットは、各フレームの最初のＴＦＣＩ個所に分配され、これに対してさらに利用可能なＴＦＣＩ個所は反復によって充填される。「圧縮モード」に対して選択されたフォーマットに依存して少なくとも３２個のＴＦＣＩ個所が利用可能である場合（図４参照）、ＴＦＣＩ個所を割り当てる別の例では、同様に、パンクチャされていない完全な（３２，１０）符号語を送信して、ＴＦＣＩ個所がなお空きの場合にはじめてこれを反復によって充填する。この場合、符号化器１によって供給されるＴＦＣＩ符号語は、その元々の長さと順番を保持することになる。それは（図１に点線で示したように）パンクチャが省略されるからである。
【００４０】
図３に示した例に対してこのことが意味するのは、まずＴＦＣＩビットｃ３０〜ｃ１５，ｃ３１およびｃ１４を最初の第０〜第５タイムスロットに、またはＴＦＣＩビットｃ１３〜ｃ０２をつぎの第９〜第１２タイムスロットに分配することである。ここで注意すべきであるのは、ｃ３０，ｃ３１はそれぞれ符号化器１から出力されるパンクチャされないＴＦＣＩ符号語の第０ビット、第１６ビットを表すことである（図２においてはパンクチャされるＴＦＣＩ符号語だけが示されている）。第１３タイムスロットではまず、なお残っているＴＦＣＩビットｃ０１およびｃ０が送信される。第１３タイムスロットおよび第１４タイムスロットのまだ空きのＴＦＣＩ個所は反復によって埋められ、ここでこの反復に対してここでも上記の実施例を適用することができる。この場合にも伝送ギャップの直後のＴＦＣＩビットが反復され、これによって第１３タイムスロットにおいてＴＦＣＩビットｃ１３が反復され、これに対して第１４タイムスロットにおいてＴＦＣＩビットｃ１２〜ｃ１０が反復される。
【００４１】
以下ではまず「圧縮モード」において利用可能なＴＦＣＩ個所を割り当てる本発明の実施例を下りリンクに対して説明する。
【００４２】
上に説明したように、このためにいわゆるＤＴＸビットを使用可能である。
【００４３】
本発明の枠内で提案されるのは、これらのＤＴＸビットを、各フレームの終わりに、パンクチャされるＴＦＣＩ符号語の送信後に余るＴＦＣＩ個所に分配するのではなく、これらのＤＴＸビットを「圧縮モード」において発生する伝送ギャップの直後に送信することである。すなわち伝送ギャップの直後に、このフレームにある余りのＴＦＣＩ個所と同じ個数のＤＴＸビットが送信される。このフレームの残りのＴＦＣＩ個所には、パンクチャされるＴＦＣＩ符号語のビットが割り当てられる。
【００４４】
この手法は、ＤＴＸビットがつぎのようなＴＦＣＩ個所に対して使用されるという利点を有しており、ここでこのＴＦＣＩ個所については、これが伝送ギャップに近いことに起因して障害を有する伝送の確率が最大である。
【００４５】
図３に示したように３つのタイムスロットを含む伝送ギャップを有するフレームを送信する場合、このことが意味するのは（例えば２５６の拡散ファクタに対して）図５Ａに示した表のように、１タイムスロット当たりに４つのＴＦＣＩ個所が得られることである（下りリンクフレーム構造はタイプＡでなければならない）。したがって上に説明した実施例によれば、パンクチャされるＴＦＣＩ符号語のＴＦＣＩビットｃ２９〜ｃ０６は第０〜第５タイムスロットに分配される。第９〜第１２タイムスロットでは１６個のＤＴＸビットが送信され、これに対して第１３タイムスロットではまず２つのＤＴＸビットが、引き続いてＴＦＣＩビットｃ０５およびｃ０４が送信される。最後に第１４タイムスロットにおいて、パンクチャされるＴＦＣＩ符号語の残りのＴＦＣＩビットｃ０３〜ｃ０が送信される。
【００４６】
伝送ギャップの後、ＤＴＸビットに必要な個数よりも少ないタイムスロットっしか存在しない場合、伝送ギャップの後に伝送できないＤＴＸビットを、伝送ギャップの前のタイムスロットに割り当てることができる。ここでは分配は基本的に任意に行うことができ、この際にＤＴＸビットをできる限り均等に分配するのが有利である。別の変形実施例として、ＤＴＸビットの一部だけを、伝送ギャップの直後に挿入することも可能であり、この際には残りのＤＴＸビットを、伝送ギャップの前および後の残りのタイムスロットに分ける。これが殊に有利であるのは、伝送ギャップの後、電力制御（Power Control）の安定化に必要なタイムスロットよりも多くのタイムスロットが利用可能な場合である。
【００４７】
本発明の特殊な変形実施例では、圧縮モードにおいてまずＴＦＣＩ符号語の３０ビットを、送信すべきフレームの対応付ける。さらに元々パンクチャされる２つのビット、ないしは通常モード（通常の動作ないしは非圧縮モード）において送信すべきでない２つのビットを、送信すべきこのフレームに対応付ける。例えば上りリンクにおいて、相応に圧縮されたフレームにおいて利用可能なフォーマット識別個所の個数が、３２個のフォーマット識別個所の制限を上回る場合、ＴＦＣＩビットは送信すべきフレームに繰り返して対応付けられ、殊に伝送ギャップのすぐ後に送信されるＴＦＣＩビットは、送信すべきフレームに繰り返して対応付けられる（反復される）。ここでこの繰り返しの対応付けは、例えば、このＴＦＣＩビットの最初の対応付けに対して逆順で行われる。
【００４８】
例えば下りリンクにおいて、相応して圧縮されたフレームにおいて利用可能なフォーマット識別個所の数が、３２個のフォーマット識別個所の制限を上回る場合、ＤＴＸビットが、送信すべきフレームに繰り返して対応付けられる。
【００４９】
最後にもう一度指摘しておきたいのは、上で上りリンクに基づいて説明した実施例は、原則的に下りリンクに対しても適用できることである。さらに本発明をここまで移動無線送信機における使用に基づいて説明した。しかしながら本発明は当然のことながら移動無線受信機にも拡張することができ、ここでこの移動無線受信機は、本発明にしたがって処理されて送信された信号を受信および評価するように相応に構成されている。
【図面の簡単な説明】
【図１】  ＴＦＣＩビットを符号化し、パンクチャし、さらにいわゆる「圧縮モード」において送信すべきＵＭＴＳフレームに対応付ける装置の簡略化されたブロック図である。
【図２】  ＴＦＣＩビットのＵＭＴＳフレームへの対応付けを説明する図である。
【図３】  「圧縮モード」に関連する本発明の種々異なる実施例を説明する図である。
【図４】  「圧縮モード」において上りリンクコネクションを介して伝送されるＵＭＴＳフレームに対して、種々異なる公知のタイムスロットフォーマットがリストアップされた表である。
【図５】  「圧縮モード」において下りリンクコネクションを介して伝送されるＵＭＴＳフレームに対して、種々異なる公知のタイムスロットフォーマットがリストアップされた表である。
【図１】
0003787524.tif 000006
【図２】
0003787524.tif 000007
【図３】
0003787524.tif 000008
【図４】
0003787524.tif 000009
【図５】
0003787524.tif 000010